(57)【要約】【課題】  安価で構造が簡単な部材を用いて入浴者の背中を保温できる浴槽用保温部材の取付構造を提供すること。【解決手段】  浴槽２０の内壁面における背もたれ面２２に取り付けられる背もたれ用の保温部材２５と、保温部材２５を浴槽２０の背もたれ面２２に着脱可能に取り付けるための取付手段とで浴槽用保温部材の取付構造を構成した。そして、浴槽２０の周縁部上面２３に係合溝部２４を形成するとともに、保温部材２５に係合溝部２４に係合可能な係合部２６を設け、係合溝部２４と係合部２６とで取付手段を構成した。さらに、保温部材２５をシリコンゴムで構成した。【選択図】  図２
2007151683.tif 000002
【特許請求の範囲】
【請求項１】
浴槽の内壁面における入浴者が背中を当てる部分に取り付けられる背もたれ用の保温部材と、前記保温部材を前記浴槽の内壁面における入浴者が背中を当てる部分に着脱可能に取り付けるための取付手段とを備えたことを特徴とする浴槽用保温部材の取付構造。
【請求項２】
前記浴槽の周縁部上面に係合溝部を形成するとともに、前記保温部材に前記係合溝部に係合可能な係合部を設け、前記係合溝部と前記係合部とで前記取付手段を構成した請求項１に記載の浴槽用保温部材の取付構造。
【請求項３】
前記保温部材に、前記浴槽の内壁面に着脱自在に吸着できる前記取付手段を構成する吸盤部材が設けられている請求項１または２に記載の浴槽用保温部材の取付構造。
【請求項４】
前記浴槽の内壁面には気泡を噴出するための噴出口部が形成されているとともに、前記保温部材における前記噴出口部に対応する部分に取付用の穴部が形成され、前記噴出口部と前記穴部とで前記取付手段が構成されている請求項１ないし３のうちのいずれか一つに記載の浴槽用保温部材の取付構造。
【請求項５】
前記保温部材が背もたれ部を備えており、前記保温部材の少なくとも前記背もたれ部がシリコンゴムで構成されている請求項１ないし４のうちのいずれか一つに記載の浴槽用保温部材の取付構造。
【発明の詳細な説明】
【技術分野】
【０００１】
本発明は、浴槽の内壁面における入浴者が背中を当てる部分に取り付けられる浴槽用保温部材の取付構造に関する。
【背景技術】
【０００２】
浴室内に設置される浴槽は、樹脂やステンレスからなる箱状体で構成されており、入浴者は、浴槽の内壁面に背中を当ててもたれた状態で入浴することができる。このような浴槽に湯を張った場合、浴槽の内壁面における底面から湯面までの部分は湯によって温められているが、湯面よりも上方部分は冷えた状態になっている。このため、特に、冬場においては、入浴者が浴槽に入り背中を浴槽の内壁面に接触させたときに、冷たく感じて不快になることがある。
【０００３】
また、浴槽の中には、保温手段を設けて入浴者の上半身を保温できるようにしたものもある（例えば、特許文献１参照）。この浴槽は、浴槽の一方の内壁面の上部に湯を吐出するためのスリット状の吐出口を設けて、この吐出口から吐出される湯水で滝状の水膜を形成するように構成されている。このため、入浴者は、上半身を水膜に当てるようにして浴槽内に入ることにより、上半身を湯面から出した状態であっても水膜の温水によって保温される。
【特許文献１】特開２００２−１５３３９１号公報
【発明の開示】
【０００４】
しかしながら、前述した浴槽の吐出口から吐出される湯水は、入浴者の上半身に向って滝状に落下するため、浴槽の内壁面の上部側部分を直接暖めることはできない。このため、この浴槽では、入浴者が浴槽内に入り、背中を内壁面に当てたときに冷たく感じるという問題は解消できない。また、湯水を吐出口から吐出させるための装置が必要になり、コストが高くつくという問題や装置の操作が面倒であるという問題もある。
【０００５】
本発明は、前述した問題に対処するためになされたもので、その目的は、安価で構造が簡単な部材を用いて入浴者の背中を保温できる浴槽用保温部材の取付構造を提供することである。
【０００６】
前述した目的を達成するため、本発明に係る浴槽用保温部材の取付構造の構成上の特徴は、浴槽の内壁面における入浴者が背中を当てる部分に取り付けられる背もたれ用の保温部材と、保温部材を浴槽の内壁面における入浴者が背中を当てる部分に着脱可能に取り付けるための取付手段とを備えたことにある。
【０００７】
このように構成した本発明に係る浴槽用保温部材の取付構造では、入浴者が浴槽に入るときには、下半身だけ浴槽の湯内に浸かり、背中を保温部材に当てるようにする。また、この場合の保温部材としては、発泡材料や軟質ゴム等の比重が小さく柔らかい、かつ接触したときに冷たさを感じない材料から構成されるものを用いる。これによって、入浴者は浴槽内の湯に浸かり背中を浴槽の内壁面に取り付けられた保温部材に接触させても冷たさによって不快に感じるといったことはなくなる。また、保温部材を浴槽に取り付けるための取付手段としては、種々のものが考えられ、単一の部材や構造を用いてもよいし、複数の部材や構造を用いてもよい。
【０００８】
また、本発明に係る浴槽用保温部材の取付構造の他の構成上の特徴は、浴槽の周縁部上面に係合溝部を形成するとともに、保温部材に係合溝部に係合可能な係合部を設け、係合溝部と係合部とで取付手段を構成したことにある。これによると、保温部材の浴槽への取り付けが、保温部材の係合部を浴槽の係合溝部に係合させるだけですむため簡単になる。また、保温部材の浴槽からの取り外しも、保温部材の係合部と浴槽の係合溝部との係合を解除するだけですむため簡単になる。
【０００９】
本発明に係る浴槽用保温部材の取付構造のさらに他の構成上の特徴は、保温部材に、浴槽の内壁面に着脱自在に吸着できる取付手段を構成する吸盤部材が設けられていることにある。この場合、吸盤部材だけで取付手段を構成してもよいし、吸盤部材を取付手段の一部として用いてもよい。吸盤部材だけで取付手段を構成した場合には、保温部材の浴槽への着脱が簡単になる。また、吸盤部材を取付手段の一部として用いた場合には、保温部材の浴槽への取り付けがより強固になる。
【００１０】
本発明に係る浴槽用保温部材の取付構造のさらに他の構成上の特徴は、浴槽の内壁面には気泡を噴出するための噴出口部が形成されているとともに、保温部材における噴出口部に対応する部分に取付用の穴部が形成され、噴出口部と穴部とで取付手段が構成されていることにある。これによると、浴槽の内壁面に気泡を噴出するための噴出口部が形成されている場合であっても、保温部材を適正な状態で浴槽の内壁面に取り付けることができる。また、保温部材の穴部に噴出口部を係合させることにより、保温部材の取り付けがより強固になる。この場合、噴出口部と穴部だけで取付手段を構成してもよいし、噴出口部と穴部からなる取付手段を他の取付手段と組み合わせて用いてもよい。
【００１１】
本発明に係る浴槽用保温部材の取付構造のさらに他の構成上の特徴は、保温部材が背もたれ部を備えており、保温部材の少なくとも背もたれ部がシリコンゴムで構成されていることにある。この場合のシリコンゴムとしては、例えば、熱伝導率が、０．１６７〜０．１４９ｗ／ｍ・ｋのものを使用することが好ましい。これによって、保温効果の優れた保温部材が得られ、心地のよい入浴が可能になる。
【発明を実施するための最良の形態】
【００１２】
（第１実施形態）
以下、本発明の第１実施形態を図面を用いて説明する。図１は、同実施形態に係る浴槽用保温部材の取付構造を備えた浴槽２０が設置された浴室１０を示している。この浴室１０では、浴室１０と更衣室（図示せず）とを区切る壁部１１における図１の手前側部分に出入り用のドア（図示せず）が設けられている。そして、浴室１０の奥側（図１の左側）には、浴室１０と外部とを区切る壁部１２が設けられ、この壁部１２に沿って浴槽２０が設置されている。また、壁部１２の中央部には窓部１２ａが設けられている。
【００１３】
そして、壁部１１と壁部１２との間の壁部１３（図１の奥側に位置する壁部）の下部における浴槽２０と壁部１１との間の部分には、カウンター１４が設けられ、壁部１３におけるカウンター１４の上方に水栓１５が設けられている。また、壁部１３における水栓１５の上方には、鏡１６が設けられ、鏡１６の左側には水栓１５から延びるシャワー１５ａが、鏡１６の右側には棚部１６ａがそれぞれ設置されている。そして、壁部１３の上部には左右に間隔を保って２個の照明具１７ａ，１７ｂが取り付けられている。また、浴槽２０の上面におけるカウンター１４側部分には、浴槽２０内に湯水を入れるための水栓１８が設けられている。
【００１４】
浴槽２０では、凹部２１における図１の手前側部分の内壁部が背もたれ面２２（図２参照）を構成している。そして、浴槽２０の周縁部上面２３における背もたれ面２２側部分に係合溝部２４が形成され、この係合溝部２４を介して浴槽２０に保温部材２５が取り付けられている。係合溝部２４は、周縁部上面２３における洗い場１９側の端部から浴槽２０の幅方向に向かって延びる断面形状が四角形の溝部で構成されており、その奥端部は、凹部２１の壁部１２側の縁部に対応する部分まで延びている。このため、係合溝部２４内に湯水が流れ込んでも、その湯水は、係合溝部２４の洗い場１９側の開放端から洗い場１９に流れていく。
【００１５】
保温部材２５は、図３および図４に示したように、係合部２６、背もたれ部２７および係合部２６と背もたれ部２７を連結する連結部２８とで構成されている。係合部２６は、浴槽２０に設けられた係合溝部２４と係合可能な幅方向の長さが長く高さ方向の長さが短くなった棒状部分で構成されている。また、連結部２８は、係合部２６側の縁部が係合部２６に沿った直線状になり、背もたれ部２７側の縁部が中央部が凹部になるように湾曲した曲線状になった幅方向の長さが長く奥行き方向（浴槽２０の長手方向）の長さが短くなった板状部分で構成されている。そして、背もたれ部２７は、入浴者の背中に沿うように、表面における幅方向の中央が凹部になるように湾曲した幅方向、高さ方向ともに長くなった曲面板状部分で構成されている。
【００１６】
この保温部材２５は、熱伝導率が０．１６７〜０．１４９ｗ／ｍ・ｋのシリコンゴムで構成されている。また、背もたれ部２７の裏面２７ａは、成形時の処理により浴槽２０の背もたれ面２２に密着しやすい軟質面に形成されている。このため、係合部２６を係合溝部２４に係合させ、背もたれ部２７を浴槽２０の背もたれ面２２に押し付けるようにして、保温部材２５を浴槽２０に取り付けると、係合部２６の係合溝部２４への係合と、背もたれ部２７の裏面２７ａの背もたれ面２２への密着により、保温部材２５は強固に浴槽２０に固定される。
【００１７】
この構成において、入浴する際には、まず、水栓１８の吐出口を浴槽２０の凹部２１側に向けて、凹部２１内に所定温度の湯を溜める。ついで、浴槽２０の背もたれ面２２に保温部材２５を取り付ける。そして、入浴者は浴槽２０内に入って、下半身だけを湯の中に浸け、背中を保温部材２５の背もたれ部２７に接触させてもたれる。このときに、入浴者の下半身は湯によって温められるとともに、背中には背もたれ部２７の暖かい感触が伝わり心地よい入浴ができる。そして、入浴者が、浴槽２０から出て、洗い場１９で体や頭髪を洗う場合には、カウンター１４の前に風呂椅子（図示せず）を置き、その風呂椅子に座って体や頭髪を洗う。
【００１８】
このように、本実施形態に係る浴槽用保温部材の取付構造を備えた浴槽２０では、入浴者が入浴するときには、下半身だけ湯内に浸かり、背中を保温部材２５の背もたれ部２７に当てることができる。このため、入浴者は凹部２１内の湯に浸かり背中を浴槽２０の背もたれ面２２に直接接触させたときのような冷たさを感じることがなくなり、心地のよい入浴が可能になる。また、保温部材２５の浴槽２０への取り付けが、保温部材２５の係合部２６を浴槽２０の係合溝部２４に係合させ、保温部材２５の背もたれ部２７を浴槽２０の背もたれ面２２に押し付けるだけですむため簡単である。また、保温部材２５を使用しないときには、保温部材２５を簡単に浴槽２０から取り外すことができるため使い勝手がよくなる。
【００１９】
（第２実施形態）
図５ないし図７は、本発明の第２実施形態に係る浴槽用保温部材の取付構造で用いる保温部材３５を示している。この保温部材３５では、背もたれ部３７の裏面３７ａは、特に、浴槽２０の背もたれ面２２に密着しやすい軟質面に形成されてなく、他の部分と同様の面に形成されている。そして、背もたれ部３７の下部側部分に左右に間隔を保って、２個の吸盤部材３９が取り付けられている。この吸盤部材３９は、略ドーム状の吸盤３９ａと、円板状の係止部３９ｂと、吸盤３９ａの凸面側中央と係止部３９ｂの中央とを連結する連結軸３９ｃとで構成されている。
【００２０】
そして、この吸盤部材３９は、吸盤３９ａを背もたれ部３７の裏面３７ａに位置させるとともに、係止部３９ｂを背もたれ部３７の表面３７ｂに位置させた状態で、連結軸３９ｃを背もたれ部３７に貫通させることにより、保温部材３５に固定されている。この保温部材３５のそれ以外の部分の構成については、前述した第１実施形態で用いる保温部材２５と同一である。したがって、同一部分に同一符号を記して説明は省略する。また、この保温部材３５は、前述した浴槽２０に取り付けることができる。
【００２１】
このように構成したため、保温部材３５は、上部が係合部２６によって浴槽２０の係合溝部２４に係合し、下部が２個の吸盤部材３９によって浴槽２０の背もたれ面２２に密着するため、保温部材３５の浴槽２０への取り付けがより強固になる。この保温部材３５を用いた浴槽用保温部材の取付構造のそれ以外の作用効果については、前述した実施形態の浴槽用保温部材の取付構造と同様である。
【００２２】
（第３実施形態）
図８は、本発明の第３実施形態に係る浴槽用保温部材の取付構造を備えた浴槽４０を示している。この浴槽４０の背もたれ面４２の下部側部分には、左右に間隔を保って、気泡を噴出するための噴出口部４１ａ，４１ｂが設けられている。また、浴槽４０の周縁部上面４３における背もたれ面４２側の部分には、係合溝部４４が形成されており、この係合溝部４４と噴出口部４１ａ，４１ｂを介して、図９に示したように、保温部材４５が浴槽４０に取り付けられる。
【００２３】
保温部材４５は、図１０に示したように構成されており、背もたれ部４７の下部側部分に左右に間隔を保って、２個の固定用の穴部４８ａ，４８ｂが形成されている。すなわち、この穴部４８ａ，４８ｂは、背もたれ部４７の表面側に形成された円形の凹部４９ａ，４９ｂの底部中心から背もたれ部４７の裏面に貫通しており、凹部４９ａ，４９ｂとで段状の穴部に形成されている。この保温部材４５のそれ以外の部分の構成については、前述した保温部材３５から吸盤部材３９を取り除いたものと同一である。したがって、同一部分に同一符号を記している。
【００２４】
また、浴槽４０における噴出口部４１ａ，４１ｂの近傍部分は、図１１に示したような構成になっている。すなわち、浴槽４０の背もたれ面４２側の外壁面に、空気供給管５１が延びてきており、空気供給管５１の先端側にノズル５２が設けられている。また、噴出口部４１ａ，４１ｂは、空気供給管５１に接続され内部にノズル５２を収容する筒状部５３と、筒状部５３の先端外周に形成され背もたれ面４２の表面に位置するフランジ部５４とで構成されている。そして、噴出口部４１ａ，４１ｂにおける筒状部５３の外周面とフランジ部５４の裏面に接触するようにして取り付けられた取付用部材５５を介して、噴出口部４１ａ，４１ｂが、背もたれ面４２に形成された穴部４２ａに固定されている。
【００２５】
また、浴槽４０の背もたれ面４２に保温部材４５を取り付ける際には、保温部材４５の係合部２６を浴槽４０の係合溝部４４に係合させるとともに、保温部材４５の穴部４８ａ，４８ｂ内に浴槽４０の噴出口部４１ａ，４１ｂを位置させる。つぎに、穴部４８ａ，４８ｂの内周面と噴出口部４１ａ，４１ｂとの間に固定用部材５６を取り付けて、保温部材４５を噴出口部４１ａ，４１ｂに固定する。
【００２６】
固定用部材５６は、図１２に示したように、噴出口部４１ａ，４１ｂの外周に嵌合できる略筒状の本体５６ａと、本体５６ａの外周面に形成され、保温部材４５の凹部４９ａ，４９ｂを背もたれ面４２側に押さえ付けることのできるフランジ状の押圧部５６ｂとで構成されている。そして、本体５６ａの前面部（浴槽４０の内部側に位置する部分）に、本体５６ａの内周面の直径よりも小径の穴部を備えた周縁部５６ｃが形成され、本体５６ａの後部内周に、内部側に向って突出した突部５６ｄが形成されている。
【００２７】
このため、背もたれ面４２に取り付けられた状態の保温部材４５の凹部４９ａ，４９ｂ内に、固定用部材５６の本体５６ａを後部側から押し込むと、突部５６ｄがフランジ部５４の外周部を超えて本体５６ａの後端部が穴部４８ａ，４８ｂ内に入っていく。これによって、突部５６ｄがフランジ部５４の外周部に係合して固定用部材５６は、フランジ部５４から抜け止めされ、押圧部５６ｂが凹部４９ａ，４９ｂの底面を背もたれ面４２側に押圧した状態が維持される。これによって、保温部材４５は、上部が係合部２６によって浴槽４０の係合溝部４４に係合し、下部が、固定部材５６を介して穴部４８ａ，４８ｂと噴出口部４１ａ，４１ｂとが係合するため、浴槽４０に強固に取り付けられる。
【００２８】
このように構成したため、この浴槽用保温部材の取付構造を備えた浴槽４０では、噴出口部４１ａ，４１ｂを利用して保温部材４５の取り付けができ、その際、噴出口部４１ａ，４１ｂは保温部材４５の表面から突出しなくなる。このため、浴槽４０の背もたれ面４２に噴出口部４１ａ，４１ｂが突出していても、保温部材４５を適正な状態で浴槽４０の背もたれ面４２に取り付けることができる。また、保温部材４５の穴部４８ａ，４８ｂに噴出口部４１ａ，４１ｂを係合させることにより、保温部材４５の浴槽４０への取り付けがより強固になる。この浴槽４０が備える浴槽用保温部材の取付構造のそれ以外の作用効果については、前述した浴槽２０が備える浴槽用保温部材の取付構造と同様である。
【００２９】
また、本発明に係る浴槽用保温部材の取付構造は、前述した各実施形態に限定するものでなく、適宜変更して実施することができる。例えば、前述した第２および第３実施形態では、浴槽２０，４０にそれぞれ係合溝部２４，４４を設け、この係合溝部２４，４４に保温部材２５，４５の係合部２６をそれぞれ係合させるようにしているが、これらの実施形態の場合には、係合溝部２４，４４および係合部２６を省略することができる。また、前述した第３実施形態では、固定部材５６を用いて、保温部材４５の穴部４８ａ，４８ｂに噴出口部４１ａ，４１ｂを固定しているが、固定部材５６を省略して、保温部材４５の穴部４８ａ，４８ｂに噴出口部４１ａ，４１ｂを直接係合させるようにしてもよい。
【００３０】
さらに、気泡を噴出するための噴出口部４１ａ，４１ｂを備えた浴槽４０に吸盤部材３９を備えた保温部材３５を取り付けることもできる。また、前述した各実施形態では、保温部材２５，３５，４５をシリコンゴムで構成しているが、この保温部材に使用する材料としては、シリコンゴムに限るものでなく、冷たさを感じない材料であれば、発泡材料、樹脂材料、シリコンゴム以外の軟質ゴム等を用いることができる。また、保温部材２５等の背もたれ部２７等だけをシリコンゴムで構成し、他の部分は硬質で強度の強い材料で構成することもできる。
【００３１】
さらに、前述した各実施形態では、保温部材２５等を入浴者の背中の部分だけに当たるようにしているが、背もたれ部２７等を浴槽２０等の底部にまで延ばし、入浴者の尻部が背もたれ部の延長部分に位置するようにすることもできる。これによると、背中だけでなく尻部も軟質材料の表面に当たるため、座り心地がよくなり、リラックス効果が増すようになる。また、保温材２５等の色を浴槽２０等の色と異なる色にすることにより、色彩的にアクセントがつき、興趣に富むものとなる。さらに、浴槽２０等や保温部材２５等の形状等についても本発明の技術的範囲内で適宜変更することができる。
【図面の簡単な説明】
【００３２】
【図１】本発明の第１実施形態に係る浴槽用保温部材の取付構造を備えた浴槽が設置された浴室を示した斜視図である。
【図２】浴槽に保温部材を取り付けた状態を示した断面図である。
【図３】保温部材の表面側を示した斜視図である。
【図４】保温部材の裏面側を示した斜視図である。
【図５】本発明の第２実施形態に係る保温部材の表面側を示した斜視図である。
【図６】図５の保温部材の裏面側を示した斜視図である。
【図７】図５の７−７断面図である。
【図８】本発明の第３実施形態で用いる浴槽を示した斜視図である。
【図９】図８の９−９断面図である。
【図１０】本発明の第３実施形態で用いる保温部材を示した斜視図である。
【図１１】浴槽における噴射口部の近傍部分を示した断面図である。
【図１２】固定用部材を示した斜視図である。
【符号の説明】
【００３３】
１０…浴室、２０，４０…浴槽、２２，４２…背もたれ面、２３，４３…周縁部上面、２４，４４…係合溝部、２５，３５，４５…保温部材、２６…係合部、２７，３７，４７…背もたれ部、３９…吸盤部材、４１ａ，４１ｂ…噴出口部、４８ａ，４８ｂ…穴部。
【図１】
2007151683.tif 000003
【図２】
2007151683.tif 000004
【図３】
2007151683.tif 000005
【図４】
2007151683.tif 000006
【図５】
2007151683.tif 000007
【図６】
2007151683.tif 000008
【図７】
2007151683.tif 000009
【図８】
2007151683.tif 000010
【図９】
2007151683.tif 000011
【図１０】
2007151683.tif 000012
【図１１】
2007151683.tif 000013
【図１２】
2007151683.tif 000014